(57)【要約】      （修正有）【課題】サプライ管の曲がり位置の自由度が高く、水栓を強固に固定しうる水栓装置を提供する。【解決手段】水栓装置は、水栓本体と、水栓本体から下側に延びており且つその外周面に雄ねじ部３０ａが形成されたシャンク管３０と、シャンク管３０の内側を通る水導入管６と、シャンク管３０の内側を通る湯導入管８と、雄ねじ部３０ａに螺合する水栓固定ナットとを備えている。シャンク管３０は、第１欠落部ｋ１と第２欠落部ｋ２とを有する。第１欠落部ｋ１が、周方向第１位置において、シャンク管３０の下端から上側に向かって延びている。第２欠落部ｋ２は、周方向第２位置において、シャンク管３０の下端から上側に向かって延びている。第１欠落部ｋ１及び第２欠落部ｋ２により、シャンク管３０の下部は、第１周方向部分と第２周方向部分とに分断されている。【選択図】図４
2020084587.tif 000002
【特許請求の範囲】
【請求項１】
水栓本体と、
前記水栓本体から下側に延びており且つその外周面に雄ねじ部が形成されたシャンク管と、
前記水栓本体から前記シャンク管の内側を通って外部に至る水導入管と、
前記水栓本体から前記シャンク管の内側を通って外部に至る湯導入管と、
前記シャンク管の前記雄ねじ部に螺合する水栓固定ナットと、
を備えており、
前記シャンク管が、第１欠落部と第２欠落部とを有しており、
前記第１欠落部が、周方向第１位置において、前記シャンク管の下端から上側に向かって延びており、
前記第２欠落部が、周方向第２位置において、前記シャンク管の下端から上側に向かって延びており、
前記第１欠落部及び前記第２欠落部により、前記シャンク管の下部が、第１周方向部分と第２周方向部分とに分断されている水栓装置。
【請求項２】
前記第１欠落部及び前記第２欠落部が、前記シャンク管の上端よりも下側で終端している請求項１に記載の水栓装置。
【請求項３】
前記第２周方向部分の最大中心角が、前記第１周方向部分の最大中心角よりも小さい請求項１又は２に記載の水栓装置。
【請求項４】
前記第１周方向部分の最大中心角がθ２とされ、前記第２周方向部分の最大中心角がθ４とされるとき、差（θ２−θ４）が５０°以上である請求項３に記載の水栓装置。
【請求項５】
径方向外側における前記第２周方向部分の中心角が、径方向内側における前記第２周方向部分の中心角よりも大きい請求項３又は４に記載の水栓装置。
【請求項６】
径方向外側における前記第２周方向部分の中心角がθ５とされ、径方向内側における前記第２周方向部分の中心角がθ３とされるとき、差（θ５−θ３）が８°以上である請求項５に記載の水栓装置。
【発明の詳細な説明】
【技術分野】
【０００１】
本開示は、水栓装置に関する。
【背景技術】
【０００２】
流し台等に取り付けられる水栓は、当該取付を可能とする構造を有する。特開２００１−３２３４２号公報は、ガイド管と締付ナットとを有するシャワー水栓装置を開示する。このガイド管の外周面に雄ねじが形成されており、この雄ねじに締付ナットが螺合されている。このナットを締め付け、カウンターを挟み込むことで、水栓が固定されている。
【０００３】
特開２００４−３０８２１３号公報は、馬蹄形の挟持具と、この挟持具に螺合する取付ボルトとを有する取付構造を開示する。取付ボルトにより挟持具を締め上げて、カウンターを挟み込むことで、水栓が固定されている。
【先行技術文献】
【特許文献】
【０００４】
【特許文献１】特開２００１−３２３４２号公報
【特許文献２】特開２００４−３０８２１３号公報
【発明の概要】
【発明が解決しようとする課題】
【０００５】
特開２００１−３２３４２号公報に記載の構造では、サプライ管（水供給管及び湯供給管）は、ガイド管の内側を通っている。サプライ管は、ガイド管の下端位置までは、曲げることができない。このため、サプライ管の曲がり位置の自由度が制限される。サプライ管は、上水道の配管の接続部に接続されるが、この接続部の位置は、施工現場によって相違する。例えば、当該接続部の位置が高く、接続部と水栓との間の距離が非常に近い場合がある。この場合、サプライ管と上水道との接続が困難となる場合がある。
【０００６】
特開２００４−３０８２１３号公報に記載の構造では、サプライ管を拘束するガイド管が存在しないので、サプライ管の曲がり位置の自由度は高い。しかし、ガイド管を用いた構造と比べて、水栓を固定する力が弱く、固定の安定性も低い。
【０００７】
本開示は、サプライ管の曲がり位置の自由度が高く、且つ、水栓を強固に固定しうる、新規な構造に関する。
【課題を解決するための手段】
【０００８】
一つの態様では、水栓装置は、水栓本体と、前記水栓本体から下側に延びており且つその外周面に雄ねじ部が形成されたシャンク管と、前記水栓本体から前記シャンク管の内側を通って外部に至る水導入管と、前記水栓本体から前記シャンク管の内側を通って外部に至る湯導入管と、前記シャンク管の前記雄ねじ部に螺合する水栓固定ナットと、を備えている。前記シャンク管が、第１欠落部と第２欠落部とを有している。前記第１欠落部が、周方向第１位置において、前記シャンク管の下端から上側に向かって延びている。前記第２欠落部が、周方向第２位置において、前記シャンク管の下端から上側に向かって延びている。前記第１欠落部及び前記第２欠落部により、前記シャンク管の下部が、第１周方向部分と第２周方向部分とに分断されている。
【発明の効果】
【０００９】
一つの側面では、サプライ管の曲がり位置の自由度が高く、且つ、水栓が強固に固定されうる。
【図面の簡単な説明】
【００１０】
【図１】図１は、一実施形態に係る水栓装置の斜視図である。
【図２】図２は、図１の水栓装置の側面図である。
【図３】図３は、図２のＡ−Ａ線に沿った断面図である。
【図４】図４（ａ）はシャンク部材の斜視図であり、図４（ｂ）はシャンク部材５０の正面図であり、図４（ｃ）はシャンク部材の左側面図であり、図４（ｄ）はシャンク部材の右側面図であり、図４（ｅ）はシャンク部材の底面図である。
【図５】図５は、図４（ｅ）の拡大図である。
【図６】図６は、図４（ｂ）のＡ−Ａ線に沿った断面図である。
【図７】図７は、図５と同じ拡大底面図である。
【発明を実施するための形態】
【００１１】
以下、適宜図面が参照されつつ、実施形態が詳細に説明される。なお本願では、実施形態の標準的な使用状態に基づき、「上」、「下」、「上側」、「上端」、「下側」、「下端」等の用語が用いられる。水栓の姿勢等は様々に設定することができ、上記用語は当該姿勢等に応じて読み替えられて解釈される。
【００１２】
図１は、一実施形態に係る水栓装置２の斜視図であり、図２は水栓装置２の側面図である。水栓装置２は、水栓本体４と、水導入管６と、湯導入管８と、吐出管１０とを有する。水栓装置２は、例えば、キッチン、洗面台等で使用される。水導入管６及び湯導入管８は、サプライ管である。
【００１３】
水栓本体４は、水栓基部１２と、ハンドル１４と、吐出部１６とを有する。吐出部１６は、ヘッド２０を有する。ヘッド２０は、切替操作部２２と水形調整部２４と吐出口２６とを有する。吐出部１６には、浄水カートリッジ（図示されず）が内臓されている。切替操作部２２により、浄水カートリッジを透過する流路と、浄水カートリッジを透過しない流路とが切り換えられる。浄水カートリッジを透過する流路に切り換えられると、浄水が吐出される。浄水カートリッジを透過しない流路に切り換えられると、原水が吐出される。
【００１４】
ハンドル１４の上下回動により、吐出量が調整される。本実施形態では、ハンドル１４を上側に動かすほど、吐出量が増加する。ハンドル１４の左右回動により、湯と水との混合割合が変化し、吐水の温度が調整される。水栓装置２は、湯水混合栓を構成している。水栓基部１２には、ハンドル１４の操作により吐出量及び吐水温度を調整しうる弁機構が内蔵されている。周知の通り、この弁機構は可動弁体と固定弁体とを含み、固定弁体は水孔、湯孔及び排出孔を有している（図示省略）。
【００１５】
更に水栓装置２は、シャンク管３０と、水栓固定ナット３２と、ワッシャー３４と、パッキン３６とを有する。シャンク管３０は、水栓本体４の下端部に取り付けられている。シャンク管３０は、水栓本体４の下端部から下側に延びている。シャンク管３０は、水栓基部１２の外面と同軸である。なお本願では、管状であってその外周面に雄ねじが形成されたネジパイプをシャンク管と称する。
【００１６】
水栓装置２は、取付基体に固定されている。シャンク管３０は、この固定に寄与している。取付基体の一例は、キッチンの天板４０（図２参照）である。シャンク管３０は、天板４０の貫通孔に上方から差し込まれる。差し込まれたシャンク管３０に、下側から水栓固定ナット３２が螺合される。水栓固定ナット３２を締め付けることで、天板４０が、シャンク部材５０の挟持部（又は水栓基部１２）と水栓固定ナット３２とで挟まれる。この結果、水栓装置２は天板４０（取付基体）に固定される。なお、図２では、水栓固定ナット３２は天板４０よりも下方に位置している。水栓固定ナット３２を回して水栓固定ナット３２を上側に移動させることで、天板４０が挟み込まれる。
【００１７】
図３は、図２のＡ−Ａ線に沿った断面図である。シャンク管３０は管状体であり、その内部は中空である。この中空の部分に、水導入管６、湯導入管８及び吐出管１０が通っている。すなわち、シャンク管３０の内側に、水導入管６、湯導入管８及び吐出管１０が通っている。なお図３では、シャンク管３０の厚みが変化しているように見えるが、これは、螺旋状に形成されたネジ山を有するシャンク管３０を水平な断面で見たためである。実際には、シャンク管３０の厚みは、周方向において一定である。
【００１８】
水導入管６は、水栓本体４からシャンク管３０の内側を通って外部に至っている。水導入管６は、外部に配置された給水接続部（図示省略）に接続される。水導入管６は、上水道の水を水栓本体４に導入する。水導入管６は、給水接続部からの水を前記固定弁体の水孔に供給する。
【００１９】
水導入管６は、第１部分６ａと第２部分６ｂとを有する。第１部分６ａは、水栓本体４と第２部分６ｂとを繋いでいる。第２部分６ｂは、第１部分６ａと給水接続部とを繋ぐ。第１部分６ａは、金属管（銅管）である。第２部分６ｂは、ブレードホースである。第２部分６ｂの端部には、継手雄管６ｃが設けられている。図示されないが、雄管６ｃが、前記給水接続部に設けられた継手雌管に接続される。シャンク管３０の内側を通っているのは、水導入管６における第１部分６ａである。
【００２０】
湯導入管８は、水栓本体４からシャンク管３０の内側を通って外部に至っている。湯導入管８は、外部に配置された給湯接続部（図示省略）に接続される。湯導入管８は、給湯器等で加熱された湯を水栓本体４に導入する。湯導入管８は、給湯接続部からの湯を前記固定弁体の湯孔に供給する。
【００２１】
湯導入管８は、第１部分８ａと第２部分８ｂとを有する。第１部分８ａは、水栓本体４と第２部分８ｂとを繋いでいる。第２部分８ｂは、第１部分８ａと給湯接続部とを繋ぐ。第１部分８ａは、金属管（銅管）である。第２部分８ｂは、ブレードホースである。第２部分８ｂの端部には、継手雄管８ｃが設けられている。図示されないが、この継手雄管８ｃが、前記給湯接続部に設けられた継手雌管に接続される。シャンク管３０の内側を通っているのは、湯導入管８における第１部分８ａである。
【００２２】
吐出管１０は、前記弁機構と吐出部１６とを繋いでいる。吐出管１０は、第１部分１０ａと第２部分１０ｂとを有する。第１部分１０ａは、前記弁機構（固定弁体の排出孔）と第２部分１０ｂとを繋いでいる。第２部分１０ｂは、第１部分１０ａと吐出部１６とを繋いでいる。第１部分１０ａは、金属管（銅管）である。第２部分１０ｂは、フレキホースである。吐出管１０を通った水は、吐出部１６を経由して、吐出口２６から排出される。
【００２３】
図１及び図２では、吐出管１０の中間部分の記載が省略されている。この中間部分では、第２部分１０ｂ（フレキホース）は、途中で折り返された状態で垂れ下がっている。この垂れ下がった部分は、吐出管１０に付加的長さを与える。この付加的長さは、吐出管１０を水栓本体４から取り出して使用することを可能とする。水栓装置２において、吐出部１６は、水栓本体４から取り外して使用されうる。このとき、吐出部１６に追随して、吐出管１０（第２部分１０ｂ）が引き出される。このとき吐出管１０（第２部分１０ｂ）はシャンク管３０の内側で移動する。シャンク管３０の内側の空洞が確保されることで、吐出管１０（第２部分１０ｂ）の円滑な引き出しが可能となる。
【００２４】
図３が示すように、吐出管１０の第１部分１０ａ（銅管）と第２部分１０ｂ（フレキホース）とが、シャンク管３０の内側を通っている。シャンク管３０の内側を通っているのは、水導入管６（第１部分６ａ）、湯導入管８（第１部分８ａ）、吐出管１０の第１部分１０ａ及び吐出管１０の第２部分１０ｂである。
【００２５】
図４（ａ）は、シャンク管３０を構成するシャンク部材５０の斜視図である。図４（ｂ）は、シャンク部材５０の正面図である。図４（ｃ）は、シャンク部材５０の左側面図である。図４（ｄ）は、シャンク部材５０の右側面図である。図４（ｅ）は、シャンク部材５０の底面図である。
【００２６】
シャンク部材５０は、基部５２と、フランジ５４と、シャンク管３０とを有する。基部５２は、シャンク部材５０の上部を構成している。基部５２は、管状体である。基部５２は、水栓基部１２の外壁の下端部に固定（ねじ止め）されている。フランジ５４は、径方向外側に突出している。フランジ５４は、水栓基部１２の下端を塞いでいる。シャンク管３０は、シャンク部材５０の下部を構成している。シャンク部材５０における、フランジ５４よりも下側の部分が、シャンク管３０である。フランジ５４は、基部５２とシャンク管３０との間に位置する。基部５２とシャンク管３０とは同軸である。フランジ５４とシャンク管３０とは同軸である。フランジ５４は、シャンク部材５０の挟持部の一例である。この挟持部は、シャンク管３０の上側に位置し、径方向外側に延在している。シャンク部材５０は、全体として一体成形されている。なお、特に説明しない限り、本願において径方向とは、シャンク管３０の径方向を意味する。
【００２７】
シャンク管３０は、雄ねじ部３０ａを有する。雄ねじ部３０ａは、シャンク管３０の外周面に形成されている。シャンク管３０の略全長に亘って、雄ねじ部３０ａが形成されている。
【００２８】
雄ねじ部３０ａは、上端３０ｂと下端３０ｃとを有する。下端３０ｃは、シャンク管３０の下端でもある。下端３０ｃは、自由端である。下端３０ｃは、下端面を構成している。
【００２９】
シャンク管３０は、第１欠落部ｋ１と、第２欠落部ｋ２とを有する。第１欠落部ｋ１は、シャンク管３０の一部が欠落することによって構成されている。本実施形態では、第１欠落部ｋ１は、シャンク管３０の一部を切除することで形成された切欠きである。本実施形態では、第２欠落部ｋ２は、シャンク管３０の一部を切除することで形成された切欠きである。
【００３０】
第１欠落部ｋ１がシャンク管３０の内側における湯導入管８（第１部分８ａ）に近くなるように、第１欠落部ｋ１の周方向位置が設定されている。第１欠落部ｋ１は、湯導入管８（第１部分８ａ）を通過させうる幅を有する。湯導入管８（第１部分８ａ）は、第１欠落部ｋ１を通過しうる。
【００３１】
第２欠落部ｋ２がシャンク管３０の内側における水導入管６（第１部分６ａ）に近くなるように、第２欠落部ｋ２の周方向位置が設定されている。第２欠落部ｋ２は、水導入管６（第１部分６ａ）を通過させうる幅を有する。水導入管６（第１部分６ａ）は、第２欠落部ｋ２を通過しうる。
【００３２】
図４（ｅ）が示すように、第１欠落部ｋ１の周方向位置は、第２欠落部ｋ２の周方向位置とは異なる。第１欠落部ｋ１は、周方向第１位置に設けられている。第１欠落部ｋ１は、シャンク管３０の下端３０ｃから上側に向かって延びている。第２欠落部ｋ２は、周方向第２位置に設けられている。第２欠落部ｋ２は、シャンク管３０の下端３０ｃから上側に向かって延びている。なお、特に説明しない限り、本願における周方向とは、シャンク管３０の周方向を意味する。特に説明しない限り、本願における径方向とは、シャンク管３０の半径方向を意味する。特に説明しない限り、本願における軸方向とは、シャンク管３０の軸方向を意味する。
【００３３】
図５は、図４（ｅ）の拡大図である。
【００３４】
図５において２点鎖線で示されるのは、水栓本体４の基準中心線ＣＬ１である。基準中心線ＣＬ１は、シャンク管３０の中心線ｚ１を通る。この基準中心線ＣＬ１は、水栓本体４の正面方向に一致している。この基準中心線ＣＬ１に基づいて、手前側位置Ｓ１及び奥側位置Ｓ２が定義される。手前側位置Ｓ１及び奥側位置Ｓ２は、シャンク管３０の周方向における位置である。手前側位置Ｓ１の方向は、水栓本体４の手前側（水栓手前側）である（図２参照）。換言すれば、手前側位置Ｓ１の方向は、使用者側である。奥側位置Ｓ２の方向は、水栓本体４の奥側（水栓奥側）である。典型的なキッチンでは、水栓本体４の手前側（使用者側）にシンクが設けられている。手前側位置Ｓ１は、ハンドル１４の左右回動における正面位置である。シャンク管３０の中心線ｚ１に対して垂直な断面（横断面図）において、第１欠落部ｋ１と第２欠落部ｋ２とは、直線ＡＳ１を対称軸とした線対称の関係にある。本実施形態では、対称軸ＡＳ１が、基準中心線ＣＬ１に一致している。
【００３５】
シャンク管３０は、第１欠落部ｋ１の手前側を画定する欠落部画定面ｋ１１と、第１欠落部ｋ１の奥側を画定する欠落部画定面ｋ１２とを有する。欠落部画定面ｋ１１及び欠落部画定面ｋ１２は、軸方向に延在している（図４（ｄ）参照）。本実施形態では、欠落部画定面ｋ１１及び欠落部画定面ｋ１２は、切削加工によって形成された切削面である。シャンク管３０を部分的に切除して第１欠落部ｋ１を形成する際に、欠落部画定面ｋ１１及び欠落部画定面ｋ１２が形成される。
【００３６】
欠落部画定面ｋ１２は、基準中心線ＣＬ１（対称軸ＡＳ１）に垂直な直線に対して略平行である。略平行とは、基準中心線ＣＬ１（対称軸ＡＳ１）に対する欠落部画定面ｋ１２の成す角度が１０°以下、更には５°以下であることを意味する。欠落部画定面ｋ１２は、欠落部画定面ｋ１１に平行である。
【００３７】
シャンク管３０は、第２欠落部ｋ２の手前側を画定する欠落部画定面ｋ２１と、第２欠落部ｋ２の奥側を画定する欠落部画定面ｋ２２とを有する。欠落部画定面ｋ２１及び欠落部画定面ｋ２２は、軸方向に延在している（図４（ｃ）参照）。本実施形態では、欠落部画定面ｋ２１及び欠落部画定面ｋ２２は、切削加工によって形成された切削面である。シャンク管３０を部分的に切除して第２欠落部ｋ２を形成する際に、欠落部画定面ｋ２１及び欠落部画定面ｋ２２が形成される。
【００３８】
欠落部画定面ｋ２２は、基準中心線ＣＬ１（対称軸ＡＳ１）に垂直な直線に対して略平行である。略平行とは、基準中心線ＣＬ１（対称軸ＡＳ１）に対する欠落部画定面ｋ２２の成す角度が１０°以下、更には５°以下であることを意味する。欠落部画定面ｋ２２は、欠落部画定面ｋ２１に平行である。
【００３９】
図５において符号Ｐ１で示されるのは、第１欠落部ｋ１の周方向位置である。この周方向位置Ｐ１は、周方向第１位置とも称される。周方向位置Ｐ１は、欠落部画定面ｋ１１の周方向位置Ｐ１１と、欠落部画定面ｋ１２の周方向位置Ｐ１２との間を２等分する位置である。周方向位置Ｐ１１は、欠落部画定面ｋ１１の径方向最外点６０の周方向位置である。周方向位置Ｐ１２は、欠落部画定面ｋ１２の径方向最外点６２の周方向位置である。
【００４０】
図５において符号Ｐ２で示されるのは、第２欠落部ｋ２の周方向位置である。この周方向位置Ｐ２は、周方向第２位置とも称される。周方向位置Ｐ２は、欠落部画定面ｋ２１の周方向位置Ｐ２１と、欠落部画定面ｋ２２の周方向位置Ｐ２２との間を２等分する位置である。周方向位置Ｐ２１は、欠落部画定面ｋ２１の径方向最外点６４の周方向位置である。周方向位置Ｐ２２は、欠落部画定面ｋ２２の径方向最外点６６の周方向位置である。
【００４１】
図５において符号Ｐ３で示されるのは、欠落部画定面ｋ１２の径方向最内点７０の周方向位置である。図５において符号Ｐ４で示されるのは、欠落部画定面ｋ２２の径方向最内点７２の周方向位置である。
【００４２】
第１欠落部ｋ１及び第２欠落部ｋ２が存在する軸方向領域では、シャンク管３０は、第１周方向部分８０と第２周方向部分８２とに分断されている。第１欠落部ｋ１及び第２欠落部ｋ２が存在する軸方向領域は、シャンク管３０の下部とも称される。第１周方向部分８０は、欠落部画定面ｋ１１から欠落部画定面ｋ２１までの部分であり、周方向に連続した部分である。第２周方向部分８２は、欠落部画定面ｋ１２から欠落部画定面ｋ２２までの部分であり、周方向に連続した部分である。シャンク管３０において、第１周方向部分８０は手前側に位置し、第２周方向部分８２は奥側に位置する。図５の底面図（又はシャンク管３０の横断面図）において、第１周方向部分８０は、基準中心線ＣＬ１を対称軸として線対称である。図５の底面図（又はシャンク管３０の横断面図）において、第２周方向部分８２は、基準中心線ＣＬ１を対称軸として線対称である。図５の底面図（又はシャンク管３０の横断面図）において、第１周方向部分８０は、基準中心線ＣＬ１を対称軸として線対称である。
【００４３】
図５において両矢印θ１で示されるのは、周方向第１位置Ｐ１と周方向第２位置Ｐ２との間の中心角である。図５において両矢印θ２で示されるのは、第１周方向部分８０の中心角である。図５において両矢印θ３で示されるのは、周方向位置Ｐ３と周方向位置Ｐ４との間の中心角である。θ３は、径方向内側における第２周方向部分８２の中心角である。図５において両矢印θ４で示されるのは、第２周方向部分８２の中心角である。本実施形態では、θ４は、径方向外側における第２周方向部分８２の中心角θ５に等しい。
【００４４】
本実施形態では、第２周方向部分８２の中心角θ４は、周方向位置Ｐ１２と周方向位置Ｐ２２との間の中心角に一致している。欠落部画定面ｋ１２及び欠落部画定面ｋ２２のように、欠落部画定面が径方向に対して傾斜している場合、中心角θ４は、当該中心角の最大値とされる。よって中心角θ４は、最大中心角とも称される。この点は、第１周方向部分８０の中心角θ２についても同じである。中心角θ２は、最大中心角とも称される。
【００４５】
第１欠落部ｋ１及び第２欠落部ｋ２は、周方向において、一方側（奥側）に偏在して配置されている。第２周方向部分８２の最大中心角θ４は、第１周方向部分８０の最大中心角θ２よりも小さい。
【００４６】
欠落部画定面ｋ１２は、径方向外側にいくほど周方向手前側にいくように傾斜している。欠落部画定面ｋ２２は、径方向外側いくほど周方向手前側にいくように傾斜している。周方向手前側とは、周方向において手前側位置Ｓ１に近づく方向である。中心角θ５は、中心角θ３よりも大きい。
【００４７】
図６は、図４（ｂ）のＡ−Ａ線に沿った断面図（縦断面図）である。シャンク部材５０は、上方及び下方に開放されている。シャンク管３０は、シャンク部材５０の下側の部分を占めている。シャンク管３０は、上方及び下方に開放されている。
【００４８】
シャンク管３０は、主部３０ｄと下端部３０ｅとを有する。シャンク管３０は、主部３０ｄと下端部３０ｅのみから構成されている。主部３０ｄの軸方向長さは、下端部３０ｅの軸方向長さよりも大きい。シャンク管３０の内径は、下端部３０ｅにおいて小さくなっている。この結果、下端部３０ｅは主部３０ｄに比べて厚肉である。下端部３０ｅの厚さｔ２は、主部３０ｄの厚さｔ２よりも大きい。また、ねじの谷からシャンク管３０の内面までの厚さｔ１についても、下端部３０ｅが主部３０ｄよりも大きい。厚肉の下端部３０ｅは、無くてもよい。ｔ１及びｔ２は、径方向に沿って測定される。
【００４９】
雄ねじ部３０ａは、シャンク管３０の略全長に亘って形成されている。雄ねじ部３０ａは、シャンク管３０の全長Ｌ１の９０％以上に形成されている。雄ねじ部３０ａの仕様は、主部３０ｄと下端部３０ｅとで変化しない。ねじ山の高さ（ｔ２−ｔ１）及びねじ山の外径は、雄ねじ部３０ａの全体において一定である。雄ねじ部３０ａは、シャンク管３０の下端３０ｃから上側に向かって形成されている。
【００５０】
シャンク管３０は、全長Ｌ１を有する。全長Ｌ１は、軸方向に沿って測定される。また、シャンク管３０は、シャンク管３０の上端から第２欠落部ｋ２の上端までの軸方向距離Ｌ２を有する。軸方向距離Ｌ２は、シャンク管３０において欠落部ｋ１、ｋ２を有さない部分の軸方向長さである。図６では図示されないが、第１欠落部ｋ１についても、軸方向距離Ｌ２が定義される。シャンク管３０は、シャンク管３０の上端から第１欠落部ｋ１の上端までの軸方向距離Ｌ２を有する。
【００５１】
シャンク管３０は、外径Ｄ１を有する。シャンク管３０の外径Ｄ１は一定である。雄ねじ部３０ａにおいて、外径Ｄ１は最大径である。すなわち、雄ねじ部３０ａにおいて、外径Ｄ１は、ねじ山の頂点において測定される。
【００５２】
図７は、図５と同じく、シャンク部材５０の底面図である。図５で符号が混み合っているため、見やすさの観点から、図５とは別に図７を設けている。
【００５３】
第１欠落部ｋ１及び第２欠落部ｋ２は、欠落幅Ｗ１を有する。図７が示すように、第１欠落部ｋ１において、欠落幅Ｗ１は、欠落部画定面ｋ１１と欠落部画定面ｋ１２との最短距離である。図示されないが、第２欠落部ｋ２の欠落幅Ｗ１は第１欠落部ｋ１のそれと同様である。第２欠落部ｋ２において、欠落幅Ｗ１は、欠落部画定面ｋ２１と欠落部画定面ｋ２２との最短距離である。
【００５４】
図７において両矢印Ｖ１で示されるのは、第２欠落部ｋ２の中心点ｃ１とシャンク管３０の中心線ｚ１との距離である。図７が示すように、中心点ｃ１は、周方向位置Ｐ２を示す径方向線とシャンク管３０の内面との交点である。距離Ｖ１は、基準中心線ＣＬ１（図５参照）に沿って測定される。図示されないが、第２欠落部ｋ２と同様に、第１欠落部ｋ１も、距離Ｖ１を有している。
【００５５】
このような構成を有するシャンク管３０では、第２欠落部ｋ２から水導入管６（第１部分６ａ）を引き出すことができる。このため、水導入管６（第１部分６ａ）を、より上側の位置で曲げることができる（図４（ａ）及び図４（ｂ）において仮想線で示される水導入管６を参照）。よって、水導入管６の曲がり位置の自由度が高まる。この点は、湯導入管８についても同様である。シャンク管３０では、第１欠落部ｋ１から湯導入管８（第１部分８ａ）を引き出すことができる。このため、湯導入管８（第１部分８ａ）を、より上側の位置で曲げることができる（図４（ｂ）において仮想線で示される湯導入管８を参照）。よって、湯導入管８の曲がり位置の自由度が高まる。
【００５６】
前述の通り、水導入管６は、給水接続部に接続される。施工現場によって、給水接続部の位置は異なる。例えば、この給水接続部の位置が高く、給水接続部が水栓本体４に近い場合がある。完成された製品としての水栓装置２に水導入管６が設けられており、この水導入管６の長さは調整できない。給水接続部が高い位置にあり水栓本体４に近い場合、水導入管６を急激に湾曲させて、水導入管６（雄管６ｃ）を給水接続部に接続する必要がある。しかし、水導入管６の柔軟性には限度があり、水導入管６を給水接続部に接続できない事態が起こりうる。この点は湯導入管８についても同様である。給湯接続部が高い位置にあり水栓本体４に近い場合、湯導入管８を給湯接続部に接続できない事態が起こりうる。
【００５７】
第１欠落部ｋ１により、シャンク管３０の下端３０ｃよりも高い位置で湯導入管８を曲げることができる。このため、給湯接続部の位置に対する対応性が高まり、より高い位置の給湯接続部に湯導入管８を接続することが可能となる。第２欠落部ｋ２により、シャンク管３０の下端３０ｃよりも高い位置で水導入管６を曲げることができる。このため、給水接続部の位置に対する対応性が高まり、より高い位置の給水接続部に水導入管６を接続することが可能となる。
【００５８】
第１欠落部ｋ１及び第２欠落部ｋ２により、シャンク管３０は、周方向における２箇所で分断されることになる。すなわち、シャンク管３０は、第１周方向部分８０と第２周方向部分８２とに分断される（図５参照）。このため、シャンク管３０の強度及び剛性の低下が懸念された。水栓装置２を固定するシャンク管３０には、強い力が作用しうる。このシャンク管３０に第１欠落部ｋ１及び第２欠落部ｋ２を設けることは、困難と考えられた。
【００５９】
また、第１欠落部ｋ１及び第２欠落部ｋ２により、雄ねじ部３０ａも周方向における２箇所で分断される。例えば、第２周方向部分８２が変形すると、第１周方向部分８０の雄ねじ部３０ａと第２周方向部分８２の雄ねじ部３０ａとの間でズレが生じ、水栓固定ナット３２の螺合が困難となる。この観点からも、シャンク管３０に第１欠落部ｋ１及び第２欠落部ｋ２を設けることは、困難と考えられた。
【００６０】
シャンク管３０の外面には雄ねじ部３０ａが設けられている。雄ねじ部３０ａが切られたことで、シャンク管３０の平均厚みは減少している。また、シャンク管３０の内側には、水導入管６、湯導入管８、吐出管１０の第１部分１０ａ、及び、吐出管１０の第２部分１０ｂが通されるため、シャンク管３０の内径は大きくされる。加えて、シャンク管３０の外径は規格により制約される。結果として、シャンク管３０の厚みは制限される。この観点からも、シャンク管３０に第１欠落部ｋ１及び第２欠落部ｋ２を設けることは、困難と考えられた。
【００６１】
しかし、実際には、第１欠落部ｋ１及び第２欠落部ｋ２が設けられても、シャンク管３０は容易に変形せず、水栓装置２を強固に固定する役割を果たしうることが分かった。
【００６２】
シャンク管３０に作用する力として、取付基体４０を挟み込む力（締結力）が挙げられる。この締結力は非常に大きい。しかし、この締結力は軸方向に沿った力であり、欠落部ｋ１，ｋ２を有するシャンク管３０を変形させないことが分かった。
【００６３】
欠落部ｋ１，ｋ２から導入管６、８が引き出されるときに、導入管６、８及び工具がシャンク管３０に当たりうる。この際に、シャンク管３０には、径方向外側への力が作用する。この力は、シャンク管３０（特に第２周方向部分８２）を径方向外側に曲げやすいと考えられた。しかし、この曲がり変形もほとんど起こらないことが分かった。第１周方向部分８０及び第２周方向部分８２は、円に沿って曲がった円弧形状を有する。この円弧形状は、径方向外側に曲がる変形を抑制しうる（円弧形状効果）。
【００６４】
上述の通り、第１欠落部ｋ１及び第２欠落部ｋ２は、周方向において、一方側（奥側）に偏在して配置されている。この偏在により、欠落部ｋ１，ｋ２から導入管６、８を引き出すのが容易とされている（図３参照）。しかし、この偏在により、第２周方向部分８２の中心角θ４が小さくなっている（図５参照）。このため、第２周方向部分８２の剛性が低下し、第２周方向部分８２が径方向外側に曲がることが懸念された。しかし、上述の円弧形状効果に起因して、この変形は抑制されうることが分かった。
【００６５】
欠落部ｋ１，ｋ２を一方側に偏在させることで、欠落幅Ｗ１を抑制しつつ、導入管６、８の引き出しが容易とされうる。また、第２周方向部分８２の中心角θ４が小さくても、第２周方向部分８２は容易に変形しないことが分かった。これらの観点から、第２周方向部分８２の最大中心角θ４は、１１５°以下が好ましく、１１０°以下がより好ましく、１０５°以下がより好ましい。上述の通り、このようにθ４が小さくされても、第２周方向部分８２の変形は抑制される。第２周方向部分８２の剛性の観点から、第２周方向部分８２の中心角θ４は、８５°以上が好ましく、９０°以上がより好ましく、９５°以上がより好ましい。上記実施形態では、θ４は１００°である。
【００６６】
欠落幅Ｗ１を抑制する観点から、第１周方向部分８０の最大中心角θ２は、１６５°以上が好ましく、１７０°以上がより好ましく、１７５°以上がより好ましい。導入管６、８の引き出しを容易とする観点から、第１周方向部分８０の中心角θ２は、２００°以下が好ましく、１９５°以下がより好ましく、１９０°以下がより好ましい。上記実施形態では、θ２は１８７°である。
【００６７】
θ４がθ２よりも小さくされることで、欠落幅Ｗ１を抑制しつつ、導入管６、８の引き出しを容易とすることができる。また、第２周方向部分８２の中心角θ４が小さくても、第２周方向部分８２は容易に変形しないことが分かった。これらの観点から、差（θ２−θ４）は、５０°以上が好ましく、６０°以上がより好ましく、７０°以上がより好ましく、８０°以上がより好ましい。欠落幅Ｗ１を抑制しつつ、導入管６、８の引き出しを容易とする観点から、差（θ２−θ４）は、１１０°以下が好ましく、１００°以下がより好ましく、９０°以下がより好ましい。上記実施形態では、差（θ２−θ４）は８７°である。
【００６８】
導入管６、８の引き出しを容易とする観点から、前記中心角θ１は、１６０°以下が好ましく、１５０°以下がより好ましく、１４０°以下がより好ましい。同じ観点から、前記中心角θ１は、１１０°以上が好ましく、１２０°以上がより好ましく、１３０°以上がより好ましい。上記実施形態では、θ１は１３８°である。
【００６９】
前述の通り、欠落部画定面ｋ１２は、径方向外側にいくほど周方向手前側にいくように傾斜している。また、欠落部画定面ｋ２２は、径方向外側にいくほど周方向手前側にいくように傾斜している。この傾斜に起因して、径方向外側における第２周方向部分８２の中心角θ５は、径方向内側における第２周方向部分８２の中心角θ３よりも大きい。
【００７０】
θ５がθ３よりも大きくされることで、欠落幅Ｗ１を確保しながら第２周方向部分８２の剛性を高めることができ、円弧形状効果が高まる。また、θ５がθ３よりも大きくされることで、欠落幅Ｗ１を確保しながら、第２周方向部分８２における雄ねじ部３０ａの周方向幅を大きくすることができ、ナット噛み合い効果（後述）が高まる。これらの観点から、差（θ５−θ３）は、８°以上が好ましく、１０°以上がより好ましく、１２°以上がより好ましい。径方向に対する欠落部画定面ｋ１２の傾斜が過大であると、欠落部画定面ｋ１２の径方向外側縁に存在するねじ山が欠けやすくなる。同様に、径方向に対する欠落部画定面ｋ２２の傾斜が過大であると、欠落部画定面ｋ２２の径方向外側縁に存在するねじ山が欠けやすくなる。これらの観点から、差（θ５−θ３）は、２０°以下が好ましく、１８°以下がより好ましく、１６°以下がより好ましい。上記実施形態では、差（θ５−θ３）は１４°である。
【００７１】
長期使用住宅部材標準化推進協議会（以下、ＣＪＫともいう）は、部材基準書を定めている。このＣＪＫで定められた基準寸法に設定することで、水栓の汎用性が確保されうる。逆に言えば、汎用性を確保するためには、水栓装置２の寸法は、このＣＪＫで定められた基準寸法に制約されうる。
【００７２】
上記基準寸法の観点から、シャンク管３０の外径Ｄ１は、３５ｍｍ以上が好ましい。シャンク管３０の強度を考慮すると、外径Ｄ１は３６ｍｍ以上がより好ましい。上記基準寸法の観点から、外径Ｄ１は３９ｍｍ以下が好ましく、キッチンの天板４０への施工性を考慮すると、３８ｍｍ以下がより好ましい。上記実施形態では、外径Ｄ１は３７ｍｍとされた。
【００７３】
外径Ｄ１が３９ｍｍ以下に制約されることで、第１欠落部ｋ１と第２欠落部ｋ２とが近くなり、第２周方向部分８２が変形しやすいことが懸念された。しかし、外径Ｄ１が３９ｍｍ以下とされることで、第２周方向部分８２の曲率半径が小さくなり、上記円弧形状効果が高まることが判った。
【００７４】
上記基準寸法によれば、キッチンの天板４０の厚さは６〜３０ｍｍである。また、水栓固定ナット３２の厚みと、ワッシャー３４の厚みと、パッキン３６の厚みとを合計すると、好ましくは１２ｍｍ程度である。これらの観点から、シャンク管３０の全長Ｌ１（図６参照）は、４２ｍｍ以上が好ましい。あらゆるキッチンの天板４０への対応性を考慮すると、全長Ｌ１は４５ｍｍ以上がより好ましい。キッチンへの施工性の観点から、全長Ｌ１は５０ｍｍ以下が好ましく、４９ｍｍ以下がより好ましい。上記実施形態では、全長Ｌ１は４８ｍｍとされた。
【００７５】
上述の通り、シャンク管３０は、シャンク管３０の上端から欠落部ｋ１，ｋ２の上端までの軸方向距離Ｌ２を有する（図６参照）。シャンク管３０の強度及び剛性の観点から、距離Ｌ２は、５ｍｍ以上が好ましく、１０ｍｍ以上がより好ましく、１５ｍｍ以上がより好ましい。導入管６、８の曲げ位置の自由度を高める観点から、距離Ｌ２は、２０ｍｍ以下が好ましく、１９ｍｍ以下がより好ましい。上記実施形態では、距離Ｌ２は１８ｍｍとされた。
【００７６】
ただし、軸方向距離Ｌ２が小さくても、シャンク管３０は水栓装置２を固定できることが判明した。一旦水栓固定ナット３２を締め付けてしまえば、水栓固定ナット３２がシャンク管３０に噛み合っているため、シャンク管３０は容易に変形しないことが分かった（ナット噛み合い効果）。第２周方向部分８２は、上記円弧形状効果に加えて、このナット噛み合い効果により、容易には変形しないことが分かった。導入管６、８の曲げ位置の自由度を優先する観点からは、距離Ｌ２は、１５ｍｍ以下でもよく、１０ｍｍ以下でもよく、５ｍｍ以下でもよく、０ｍｍであってもよい。距離Ｌ２は、水栓固定ナット３２の軸方向長さより小さくてもよい。
【００７７】
シャンク管３０を挿通している導入管６、８は、金属管であるのが好ましく、銅管であるのがより好ましい。上記実施形態では、第１部分６ａ，８ａが金属管であるのが好ましく、銅管であるのがより好ましい。ゴムホース等と比べて、金属管（銅管）の柔軟性は低い。よって、金属管（銅管）の場合には、欠落部ｋ１，ｋ２による効果（曲げ位置の自由度を高める効果）が際立つ。
【００７８】
汎用の第１部分６ａ及び第１部分８ａ（銅管）の外径は、９．５ｍｍ程度である。銅管を通過させる観点から、欠落幅Ｗ１（図７参照）は、９．７ｍｍ以上が好ましく、９．８ｍｍ以上がより好ましい。シャンク管３０の強度の観点から、欠落幅Ｗ１は１１ｍｍ以下が好ましく、１０．５ｍｍ以下がより好ましい。上記実施形態では、銅管が通るスペースとシャンク管３０の強度とを考慮して、欠落幅Ｗ１は１０ｍｍとされた。
【００７９】
導入管６、８の引き出し易さの観点から、上記距離Ｖ１（図７参照）は、５ｍｍ以上が好ましく、５．５ｍｍ以上がより好ましい。導入管６、８の引き出し易さの観点から、上記距離Ｖ１は、７ｍｍ以下が好ましく、６．５ｍｍ以下がより好ましい。上記実施形態では、距離Ｖ１は６ｍｍとされた。
【００８０】
図６の拡大部が示すように、差（ｔ２−ｔ１）は、雄ねじ部３０ａのねじ山の高さである。水栓固定ナット３２の締め付けによる締結力を高める観点から、このねじ山の高さは、０．８ｍｍ以上が好ましく、１．０ｍｍ以上がより好ましい。シャンク管３０の強度の観点から、このねじ山の高さは、１．６ｍｍ以下が好ましく、１．４ｍｍ以下がより好ましい。上記実施形態では、このねじ山の高さは１．２ｍｍとされた。
【００８１】
シャンク管３０の内径を確保する観点から、上記厚さｔ１（図６参照）は、１．５ｍｍ以下が好ましく、１．３ｍｍ以下がより好ましく、１．２ｍｍ以下がより好ましい。外径Ｄ１が制約される中でも、シャンク管３０の内径を確保することで、管６ａ、８ａ、１０ａ及び１０ｂが通されうる。強度の観点から、厚さｔ１は、０．５ｍｍ以上が好ましく、０．６ｍｍ以上がより好ましい。上記実施形態では、厚さｔ１は０．７５ｍｍ〜１．１ｍｍとされた。
【００８２】
上記厚さｔ１が小さいシャンク管３０では、第１欠落部ｋ１及び第２欠落部ｋ２に起因する剛性の低下が懸念された。しかし上述の通り、第２周方向部分８２は容易に変形せず、シャンク管３０の機能は維持された。
【００８３】
強度の観点から、シャンク管３０の好ましい材質として、樹脂及び金属が挙げられる。この樹脂には、繊維強化樹脂も含まれる。金属では、施工時の強度確保及び生産性の観点から、黄銅が好ましい。コスト及び生産性の観点から、樹脂が用いられても良い。樹脂では、成形が容易な熱可塑性樹脂が好ましい。熱可塑性樹脂の中では、特に成形性に優れるとの観点から、ＰＰ（ポリプロピレン）、ＡＢＳ（アクリロニトリル・ブタジエン・スチレン共重合合成樹脂）、ＰＯＭ（ポリアセタール）及びＰＰＳ（ポリフェニレンサルファイド）が好ましい。その中でも、強度確保の観点から、ＰＰＳが特に好ましい。上記実施形態では、生産性及び強度の観点から、シャンク管３０の材質は黄銅とされた。
【００８４】
シール性の観点から、パッキン３６の好ましい材質として、ＮＢＲ（ニトリルゴム）、シリコーン及びＥＰＤＭ（エチレン・プロピレン・ジエンゴム）が挙げられる。上記実施形態では、安価で機械的強度に優れるＮＢＲが用いられた。
【００８５】
強度の観点から、ワッシャー３４の好ましい材質として、樹脂及び金属が挙げられる。この樹脂には、繊維強化樹脂も含まれる。金属では、生産性の観点から、ステンレス鋼が好ましい。コスト及び生産性の観点から、樹脂が用いられても良い。樹脂では、成形が容易な熱可塑性樹脂が好ましい。熱可塑性樹脂の中では、特に成形性に優れるとの観点から、ＰＴＦＥ（ポリテトラフルオロエチレン）、ナイロン樹脂、ＰＯＭ（ポリアセタール）が好ましい。その中でも、機械的強度に優れるナイロン樹脂が特に好ましい。上記実施形態では、生産性及び強度の観点から、ワッシャー３４の材質はステンレス鋼とされた。
【００８６】
強度の観点から、水栓固定ナット３２の好ましい材質として、樹脂及び金属が挙げられる。この樹脂には、繊維強化樹脂も含まれる。金属では、施工時の強度確保及び生産性の観点から、黄銅が好ましい。コスト及び生産性の観点から、樹脂が用いられても良い。樹脂では、成形が容易な熱可塑性樹脂が好ましい。熱可塑性樹脂の中では、特に成形性に優れるとの観点から、ＰＰ（ポリプロピレン）、ＡＢＳ（アクリロニトリル・ブタジエン・スチレン共重合合成樹脂）、ＰＯＭ（ポリアセタール）及びＰＰＳ（ポリフェニレンサルファイド）が好ましい。その中でも、強度確保の観点から、ＰＰＳが特に好ましい。上記実施形態では、生産性及び強度の観点から、水栓固定ナット３２の材質は黄銅とされた。
【００８７】
上述した実施形態に関して、以下の付記を開示する。
［付記１］
水栓本体と、
前記水栓本体から下側に延びており且つその外周面に雄ねじ部が形成されたシャンク管と、
前記水栓本体から前記シャンク管の内側を通って外部に至る水導入管と、
前記水栓本体から前記シャンク管の内側を通って外部に至る湯導入管と、
前記シャンク管の前記雄ねじ部に螺合する水栓固定ナットと、
を備えており、
前記シャンク管が、第１欠落部と第２欠落部とを有しており、
前記第１欠落部が、周方向第１位置において、前記シャンク管の下端から上側に向かって延びており、
前記第２欠落部が、周方向第２位置において、前記シャンク管の下端から上側に向かって延びており、
前記第１欠落部及び前記第２欠落部により、前記シャンク管の下部が、第１周方向部分と第２周方向部分とに分断されている水栓装置。
［付記２］
前記第１欠落部及び前記第２欠落部が、前記シャンク管の上端よりも下側で終端している付記１に記載の水栓装置。
［付記３］
前記第２周方向部分の最大中心角が、前記第１周方向部分の最大中心角よりも小さい付記１又は２に記載の水栓装置。
［付記４］
前記第１周方向部分の最大中心角がθ２とされ、前記第２周方向部分の最大中心角がθ４とされるとき、差（θ２−θ４）が５０°以上である付記３に記載の水栓装置。
［付記５］
径方向外側における前記第２周方向部分の中心角が、径方向内側における前記第２周方向部分の中心角よりも大きい付記３又は４に記載の水栓装置。
［付記６］
径方向外側における前記第２周方向部分の中心角がθ５とされ、径方向内側における前記第２周方向部分の中心角がθ３とされるとき、差（θ５−θ３）が８°以上である付記５に記載の水栓装置。
【００８８】
本願には、請求項（独立形式請求項を含む）に係る発明に含まれない他の発明も記載されている。本願の請求項及び実施形態に記載されたそれぞれの形態、部材、構成及びそれらの組み合わせは、それぞれが有する作用効果に基づく発明として認識される。
【００８９】
上記各実施形態で示されたそれぞれの形態、部材、構成等は、これら実施形態の全ての形態、部材又は構成をそなえなくても、個々に、本願請求項に係る発明をはじめとした、本願記載の全発明に適用されうる。
【符号の説明】
【００９０】
２・・・水栓装置
４・・・水栓本体
６・・・水導入管
６ａ・・・水導入管の第１部分
８・・・湯導入管
８ａ・・・湯導入管の第１部分
１０・・・吐出管
１２・・・水栓基部
１４・・・ハンドル
１６・・・吐出部
３０・・・シャンク管
３０ａ・・・雄ねじ部
３０ｂ・・・上端
３０ｃ・・・下端
３０ｄ・・・主部
３０ｅ・・・下端部
３２・・・水栓固定ナット
３４・・・ワッシャー
３６・・・パッキン
５０・・・シャンク部材
５２・・・基部
５４・・・フランジ
８０・・・第１周方向部分
８２・・・第２周方向部分
ｋ１・・・第１欠落部
ｋ１１・・・手前側の欠落部画定面
ｋ１２・・・奥側の欠落部画定面
ｋ２・・・第２欠落部
ｋ２１・・・手前側の欠落部画定面
ｋ２２・・・奥側の欠落部画定面
Ｐ１・・・第１欠落部の周方向位置（周方向第１位置）
Ｐ２・・・第２欠落部の周方向位置（周方向第２位置）
ＣＬ１・・・基準中心線
ＡＳ１・・・対称軸
θ１・・・周方向第１位置と周方向第２位置との間の中心角
θ２・・・第１周方向部分の最大中心角
θ３・・・径方向内側における第２周方向部分の中心角
θ４・・・第２周方向部分の最大中心角
θ５・・・径方向外側における第２周方向部分の中心角
【図１】
2020084587.tif 000003
【図２】
2020084587.tif 000004
【図３】
2020084587.tif 000005
【図４】
2020084587.tif 000006
【図５】
2020084587.tif 000007
【図６】
2020084587.tif 000008
【図７】
2020084587.tif 000009